(57)【要約】【課題】従来手法の場合、各画素の劣化状態を継続的に監視する必要があり、画面サイズが大型化すると演算量やシステム規模が大型化する問題がある。【解決手段】焼き付き抑制装置として、（ａ）単位フレーム又は複数フレーム間に入力された映像信号の平均階調値を算出する平均階調値算出部と、（ｂ）算出期間が重複しないように設定された２つの算出期間について算出された２つの平均階調値の差分値を算出する階調差算出部と、（ｃ）差分値が判定閾値より小さい場合、表示画面のコントラスト差を縮小するコントラスト制御部とを有するものを提案する。【選択図】図１
2008070683.tif 000002
【特許請求の範囲】
【請求項１】
単位フレーム又は複数フレーム間に入力された映像信号の平均階調値を算出する平均階調値算出部と、
算出期間が重複しないように設定された２つの算出期間について算出された２つの平均階調値の差分値を算出する階調差算出部と、
前記差分値が判定閾値より小さい場合、表示画面のコントラスト差を縮小するコントラスト制御部と
を有することを特徴とする焼き付き抑制装置。
【請求項２】
請求項１に記載の焼き付き抑制装置において、
前記コントラスト制御部は、前記差分値が判定閾値より小さい状態が継続する場合、コントラスト差の縮小率を徐々に増加する
ことを特徴とする焼き付き抑制装置。
【請求項３】
請求項１に記載の焼き付き抑制装置において、
前記コントラスト制御部は、表示デバイスの白レベルと黒レベルを規定する基準電圧値の両方又は一方を制御してコントラスト差を縮小制御する
ことを特徴とする焼き付き抑制装置。
【請求項４】
請求項１に記載の焼き付き抑制装置において、
前記コントラスト制御部は、１フレーム期間内における発光時間割合を規定するデューティパルス信号長を制御する
ことを特徴とする焼き付き抑制装置。
【請求項５】
請求項１に記載の焼き付き抑制装置において、
前記コントラスト制御部は、コントラスト差の縮小率に応じ、階調幅を縮小させるように映像信号を階調変換する
ことを特徴とする焼き付き抑制装置。
【請求項６】
請求項１に記載の焼き付き抑制装置において、
前記コントラスト制御部は、映像信号の付属情報に基づいて平均階調値の算出期間を与えるフレーム数を可変する
ことを特徴とする焼き付き抑制装置。
【請求項７】
請求項１に記載の焼き付き抑制装置において、
前記コントラスト制御部は、映像信号の付属情報に基づいて判定閾値を可変する
ことを特徴とする焼き付き抑制装置。
【請求項８】
単位フレーム又は複数フレーム間に入力された映像信号の平均階調値を算出する平均階調値算出部と、
算出期間が重複しないように設定された２つの算出期間について算出された２つの平均階調値の差分値を算出する階調差算出部と、
前記差分値が判定閾値より小さい場合、表示画面のコントラスト差を縮小するコントラスト制御部と、
マトリクス駆動型の自発光表示デバイスと
を有することを特徴とする自発光表示装置。
【請求項９】
単位フレーム又は複数フレーム間に入力された映像信号の平均階調値を算出する平均階調値算出部と、
算出期間が重複しないように設定された２つの算出期間について算出された２つの平均階調値の差分値を算出する階調差算出部と、
前記差分値が判定閾値より小さい場合、表示画面のコントラスト差を縮小するコントラスト制御部と、
映像信号を処理する信号処理部と
を有することを特徴とする画像処理装置。
【請求項１０】
単位フレーム又は複数フレーム間に入力された映像信号の平均階調値を算出する平均階調値算出部と、
算出期間が重複しないように設定された２つの算出期間について算出された２つの平均階調値の差分値を算出する階調差算出部と、
前記差分値が判定閾値より小さい場合、表示画面のコントラスト差を縮小するコントラスト制御部と、
マトリクス駆動型の自発光表示デバイスと
を有することを特徴とする電子機器。
【請求項１１】
単位フレーム又は複数フレーム間に入力された映像信号の平均階調値を算出する処理と、
算出期間が重複しないように設定された２つの算出期間について算出された２つの平均階調値の差分値を算出する処理と、
前記差分値が判定閾値より小さい場合、表示画面のコントラスト差を縮小する処理と
を有することを特徴とする焼き付き抑制方法。
【請求項１２】
単位フレーム又は複数フレーム間に入力された映像信号の平均階調値を算出する処理と、
算出期間が重複しないように設定された２つの算出期間について算出された２つの平均階調値の差分値を算出する処理と、
前記差分値が判定閾値より小さい場合、表示画面のコントラスト差を縮小する処理と
をコンピュータに実行させることを特徴とするコンピュータプログラム。
【発明の詳細な説明】
【技術分野】
【０００１】
この明細書で説明する発明は、自発光表示装置の焼き付き現象の進行を抑制する技術に関する。発明者らが提案する発明は、焼き付き抑制装置、自発光表示装置、画像処理装置、電子機器、焼き付き抑制方法及びコンピュータプログラムとしての側面を有する。
【背景技術】
【０００２】
自発光型の表示素子には、発光量と時間に比例して発光輝度が低下する特性がある。この発光輝度の低下は、発光特性の劣化が原因である。発光特性の劣化が進行すると、同じ駆動条件下でも輝度低下が次第に進行し、初期輝度を維持できなくなる。
【０００３】
ところで、発光輝度の低下は一般には一様に進行せず、画面内で発光特性の劣化にばらつきが生じる。これは、表示内容が一様でないこと等が原因である。この輝度劣化のばらつきが視覚的に認識される状態を“焼き付き現象”という。
【０００４】
従来、焼き付き現象の抑制には、発光素子材料の発光寿命を長くすることが最も好ましいと考えられていた。
しかし、発光素子材料の発光寿命が長くても、焼き付き現象の発生を原理的に無くすことはできないし、焼き付きが生じ易い映像信号のみが継続的に入力される場合もある。
【０００５】
そこで、焼き付きの発生を遅らせたり、発生した焼き付きを目立たなくする仕組みが従来より検討されている。
【特許文献１】特開２００３−２２８３２９号公報
【発明の開示】
【発明が解決しようとする課題】
【０００６】
特許文献１は、表示画面が不使用状態の期間に各画素の劣化特性を揃えるように各画素を発光制御する方法を開示する。しかし、使用中に実行可能な対策については何らの記述もされていない。また、各画素の劣化状態を継続的に監視する必要があり、画面サイズが大型化すると演算量やシステム規模が大型化する問題がある。
【課題を解決するための手段】
【０００７】
そこで発明者は、平均階調値算出部と、階調差算出部とコントラスト制御部とを有する焼き付き抑制装置を提案する。
ここで、平均階調値算出部は、単位フレーム又は複数フレーム間に入力された映像信号の平均階調値を算出する処理デバイスとして機能する。
【０００８】
階調差算出部は、算出期間が重複しないように設定された２つの算出期間について算出された２つの平均階調値の差分値を算出する処理デバイスとして機能する。
コントラスト制御部は、差分値が判定閾値より小さい場合、表示画面のコントラスト差を縮小する処理デバイスとして機能する。
【発明の効果】
【０００９】
差分値が判定閾値より小さいことは、画面の変化が小さいことを意味する。変化が小さい画面では、コントラスト差の変化がユーザーに視認され難い。そこで、変化が小さい画面では、積極的にコントラスト差を縮小することで、画面内における劣化の進行速度のばらつきを抑制する。
【００１０】
焼き付き現象は、一定量以上の劣化量差が近隣画素の間に生じた場合に知覚されるので、劣化量の進行速度のばらつきを少なくすることにより、焼き付き現象の発生を抑制することができる。
【００１１】
更に、発明者の提案する焼き付き抑制技術では、画素単位での劣化状態の監視や画素単位での発光量の制御が不要であり、処理負荷やシステム規模が小さく済む。従って、画面サイズが大型化する場合にも、従来技術に比して有利である。
【発明を実施するための最良の形態】
【００１２】
以下、発明に係る焼き付き抑制技術の具体例を説明する。
なお、本明細書で特に図示又は記載されない部分には、当該技術分野の周知又は公知技術を適用する。
また以下に説明する形態例は、発明の一つの形態例であって、これらに限定されるものではない。
【００１３】
（Ａ）形態例１
（Ａ−１）焼き付き抑制装置の機能構成
図１に、焼き付き抑制装置１の機能構成例を示す。焼き付き抑制装置１は、平均階調値算出部３、階調差算出部５及びコントラスト制御部７で構成される。
【００１４】
焼き付き抑制装置１は、表示デバイス１１に供給される映像信号が静止画系の映像信号か否か判定し、静止画系の映像信号と判定された場合には画面全体のコントラスト差が縮小するように表示デバイス１１の駆動条件を可変制御する処理デバイスとして機能する。
【００１５】
この形態例における平均階調値算出部３は、ｎフレーム期間に入力された映像信号の平均階調値Ｃj を逐次算出する処理デバイスとして機能する。なお、平均階調値算出部３は、算出期間が重複しないように平均階調値Ｃj
を算出する。
【００１６】
例えば映像信号が現行の地上波放送やディジタル放送の場合、算出フレーム数ｎは６付近とすることが望ましい。ｎ＝６の場合、Ｃj の算出期間が第ｎフレームから第ｎ＋６フレームであれば、Ｃj+1
の算出期間は第ｎ＋７フレームから第ｎ＋１２フレームで与えられる。なお、算出期間を重複させないのは、画面の変化が平均階調値の変化として検出され易くなるためである。
【００１７】
図２に、平均階調値算出部３の内部構成例を示す。図２に示す平均階調値算出部３は、単位フレーム平均階調値算出部２１、平均階調値蓄積部２３及びｎフレーム平均階調値算出部２５で構成される。
【００１８】
単位フレーム平均階調値算出部２１は、１フレーム当たりの平均階調値（ＡＰＬ：average picture level ）を映像信号に基づいて算出する処理デバイスである。算出期間は、１つの垂直同期信号から次の垂直同期信号までである。
【００１９】
平均階調値蓄積部２３は、フレーム毎に算出される平均階調値ＡＰＬをｍフレーム期間分蓄積する記憶領域又は記憶装置である。例えば半導体記憶装置やハードディスク装置その他の記憶装置又はその記憶領域の一部として実現される。この形態例の場合、６フレーム以上の記憶領域を確保する。
【００２０】
ｎフレーム平均階調値算出部２５は、平均階調値蓄積部２３に蓄積されているｍフレーム分の平均階調値ＡＰＬの平均階調値Ｃj を算出する。この形態例の場合、６フレーム分の平均階調値ＡＰＬを算出期間が重複しないように加算し、その加算値を“６”で割ることにより同期間内の平均階調値Ｃj
を算出する。図３に、平均階調値Ｃj の算出例を示す。
【００２１】
階調差算出部５は、ｍフレーム（この形態例では６フレーム）毎に算出される平均階調値のうち最新回の平均階調値Ｃj+1 と直前回の平均階調値Ｃj との差分を算出する処理デバイスである。算出される差分値は、画面の変化量に相当する。
【００２２】
コントラスト制御部７は、算出された差分値と判定閾値Ｂを比較してコントラスト差の縮小処理を実行するか否かを判定する処理と、判定結果に基づいて表示デバイス１１の駆動条件を制御する処理とを実行する。この形態例の場合、判定閾値Ｂは“３５（映像信号が８ビット長の場合）”に設定する。
【００２３】
また、コントラスト制御部７は、表示デバイス１１で使用する基準電圧値を制御対象とする。具体的には、データ線ドライバを構成するディジタル／アナログ変換器における出力電圧の上限値と下限値を規定する基準電圧値を制御対象とする。
【００２４】
すなわち、黒レベル（下限値）を規定する基準電圧値Ｄb と、白レベル（上限値）を規定する基準電圧値Ｄw の２つを制御対象とする。これら２つの基準電圧値Ｄb ，Ｄw をその差分が小さくなるように制御することにより、表示画面上のコントラスト差を縮小することができる。
【００２５】
なお、算出された差分値が判定閾値Ｂより大きい場合、コントラスト制御部７は、現在の入力画像が変化の多い画像であると判定し、コントラスト差の縮小制御は不要であると判定する。この際、縮小率αを０（ゼロ）に設定する。
【００２６】
ここでの縮小率αは、コントラスト差を縮小しない場合のコントラスト差を１００％としてコントラスト差の縮小量を表す値である。従って、縮小率αが大きいほど、コントラスト差は小さくなる。
【００２７】
ここでは、縮小率αが０（ゼロ）であるので、黒レベルを規定する基準電圧値Ｄb と白レベルを規定する基準電圧値Ｄw とは共に標準値（設定値）に設定される。
図４に、コントラスト差を縮小しない場合の入出力関係を示す。
【００２８】
一方、算出された差分値が判定閾値Ｂより小さい場合、コントラスト制御部７は、現在の入力画像が変化の少ない画像であると判定し、コントラスト差の縮小制御を実行する。コントラスト差の縮小制御では、縮小率α（≠０）の決定処理と、決定された縮小率αに応じた基準電圧値Ｄb ，Ｄw の決定処理とが実行される。
【００２９】
この形態例の場合、黒レベルを規定する基準電圧値Ｄb は、標準値よりも縮小率αの２分１に相当する電圧だけ高い値に決定される。
一方、白レベルを規定する基準電圧値Ｄw は、標準値よりも縮小率αの２分の１に相当する電圧だけ低い値に決定される。
【００３０】
図５に、コントラスト差を縮小する場合の入出力関係を示す。なお、図５に示す０％輝度レベルと１００％輝度レベルは、コントラスト差を縮小しない場合に使用される電圧値の下限値と上限値にそれぞれ対応する。
【００３１】
ところで、この形態例で使用するコントラスト制御部７は、コントラスト差の縮小制御が継続する場合、コントラスト差の縮小率αをその上限値Ｅに達するまで徐々に増加する処理を実行する。図６に、縮小率αの増加に伴ってコントラスト差が徐々に縮小される様子を概念的に示す。
【００３２】
（Ａ−２）表示デバイスの構成
この形態例の場合、表示デバイスは自発光表示デバイスの一つである有機ＥＬディスプレイを想定する。
図７に、表示デバイス１１の機能構成例を示す。表示デバイス１１は、タイミングジェネレータ３１、データ線ドライバ３３、スキャンドライバ３５、スキャンドライバ３７、電源電圧源３９及び有機ＥＬディスプレイパネル４１で構成される。
【００３３】
タイミングジェネレータ３１は、映像信号に含まれるタイミング信号に基づいて画面表示に必要な各種のタイミング信号を発生する処理デバイスである。例えば書き込みパルス等を発生する。
【００３４】
データ線ドライバ３３は、有機ＥＬディスプレイパネル４１のデータ線を駆動する回路デバイスである。データ線ドライバ３３は、各画素の発光輝度を指定する階調値をアナログ電圧値に変換し、データ線に供給する動作を実行するディジタル／アナログ変換器で構成される。なお、ディジタル／アナログ変換器の黒レベルを規定する基準電圧Ｖb と白レベルを規定する基準電圧Ｖw は、電源電圧源３９より与えられる。
【００３５】
スキャンドライバ３５は、階調値を書き込む水平ラインの選択用に設けられたゲート線を線順次に選択する回路デバイスである。この選択信号が書き込みパルスとして、有機ＥＬディスプレイパネル４１に供給される。この形態例におけるスキャンドライバ３５は、水平ライン別に書き込みパルスを出力する。
【００３６】
スキャンドライバ３７は、デューティパルス信号の供給用に設けられたゲート線を駆動する回路デバイスである。ここでのデューティパルス信号は、１フレーム期間内における点灯時間長を与える信号をいう。
【００３７】
図８に、デューティパルス信号の一例を示す。図８（Ａ）は最大点灯時間長の最大期間を与える垂直同期パルスである。図８（Ｂ）はデューティパルス信号例である。図８（Ｂ）の場合、Ｌレベルの期間が１フレーム期間内の点灯時間長になる。この形態例の場合、点灯時間は固定である。
【００３８】
電源電圧源３９は、コントラスト制御部７から与えられる基準電圧値Ｄb 及びＤw に基づいて、データ線ドライバ３３に供給する基準電圧Ｖb 及びＶw を発生する回路デバイスである。
【００３９】
有機ＥＬディスプレイパネル４１は、有機ＥＬ素子がマトリクス状に配置された表示デバイスである。なお、有機ＥＬディスプレイパネル４１はカラー表示用である。従って、表示上の１画素（ピクセル）は、ＲＧＢの三色に対応する画素（サブピクセル）で構成される。
【００４０】
図９に、データ線と選択線との交点位置に形成される画素回路４３と周辺回路との接続関係を示す。
画素回路４３は、スイッチ素子Ｔ１、キャパシタＣ１、電流供給素子Ｔ２、点灯期間制御素子Ｔ３で構成される。
【００４１】
ここで、スイッチ素子Ｔ１は、データ線を通じて与えられる電圧値の取り込み（書き込み）を制御するトランジスタである。電圧値の取り込みタイミングは、水平ライン単位で与えられる。
【００４２】
キャパシタＣ１は、取り込んだ電圧値を１フレームの間保持する記憶素子である。キャパシタＣ１を用いることで、データの書き込みが線順次走査の場合でも、面順次走査と同様の発光態様が実現される。
【００４３】
電流供給素子Ｔ２は、キャパシタＣ１の電圧値に応じた駆動電流を有機ＥＬ素子Ｄ１に供給するトランジスタである。
点灯期間制御素子Ｔ３は、有機ＥＬ素子Ｄ１の点灯時間長を１フレーム内で制御するトランジスタである。
【００４４】
点灯期間制御素子Ｔ３は、駆動電流の供給経路に対して直列に配置される。点灯期間制御素子Ｔ３がオン動作している間、有機ＥＬ素子Ｄ１が点灯する。一方、点灯期間制御素子Ｔ３がオフ動作している間、有機ＥＬ素子Ｄ１が消灯する。もっとも、この形態例の場合、発光時間長は固定である。
【００４５】
（Ａ−３）焼き付き抑制処理
以下、焼き付き抑制動作を説明する。
図１０に、６フレーム毎に実行される判定処理動作を示す。
【００４６】
まず、焼き付き抑制装置１は、平均階調値算出部３において６フレーム当たりの平均階調値Ｃj を算出する（Ｓ１）。
次に、焼き付き抑制装置１は、直前回の平均階調値Ｃj と最新回の平均階調値Ｃj+1 との差分が判定閾値Ｂと同じかそれより大きいか判定する（Ｓ２）。
【００４７】
この判定処理で肯定結果が得られた場合、焼き付き抑制装置１は、コントラスト差の縮小処理パラメータをオフに制御する（Ｓ３）。一方、この判定処理で否定結果が得られた場合、焼き付き抑制装置１は、コントラスト差の抑制処理パラメータをオンに制御する（Ｓ４）。
【００４８】
この後、焼き付き抑制装置１は、縮小処理パラメータに基づいてコントラスト差の縮小処理を実行する（Ｓ５）。
図１１に、このコントラスト差の縮小処理動作の詳細例を示す。まず、焼き付き抑制装置１は、コントラスト差の縮小処理パラメータを確認する（Ｓ１１）。
【００４９】
次に、焼き付き抑制装置１は、縮小処理パラメータがオンであるか否かを判定する（Ｓ１２）。
判定結果が否定結果である場合、焼き付き抑制装置１は、縮小率αを０（ゼロ）に設定する（Ｓ１３）。
【００５０】
一方、判定結果が肯定結果である場合、焼き付き抑制装置１は、前回も縮小処理パラメータがオン状態であったか否かを判定する（Ｓ１４）。
否定結果が得られた場合（すなわち、前回の判定時にはオフ状態であった場合）、焼き付き抑制装置１は、縮小率αを０（ゼロ）に設定する（Ｓ１５）。これは、コントラスト差を維持して画面の切り替わり時の画質を安定させるためである。
【００５１】
一方、肯定結果が得られた場合（すなわち、オン状態が継続している場合）、焼き付き抑制装置１は、縮小率αを直前回の縮小率αに固定値ｄを加算した値に設定する（Ｓ１６）。すなわち、縮小率αを拡大する。なお、縮小率αの初期値は０（ゼロ）であるので、更新後の縮小率αは固定値ｄの倍数で与えられる。
【００５２】
この後、焼き付き抑制装置１は、縮小率αが上限値Ｅ以下か否かを判定する（Ｓ１７）。
ここで、否定結果が得られた場合、焼き付き抑制装置１は、縮小率αを上限値Ｅに再設定する（Ｓ１８）。
【００５３】
縮小率αが確定すると、焼き付き抑制装置１は、縮小率αに応じて黒レベルを規定する基準電圧値Ｄb と白レベルを規定する基準電圧値Ｄw をそれぞれ算出する（Ｓ１９）。
この後、焼き付き抑制装置１は、算出された基準電圧値Ｄb 及びＤw を表示デバイス１１に出力する（Ｓ２０）。
【００５４】
図１２に、縮小率αが０（ゼロ）の場合の画面輝度特性を示す。なお、図１２は、最大輝度レベルを１として他の階調値の画面輝度特性を正規化して表している。また、図１２は、赤（Ｒ）、緑（Ｇ）、青（Ｂ）の三色における画面輝度特性を、３色のうちで最大輝度レベルが最も大きいものに正規化して表している。
【００５５】
図１３に、縮小処理が実行される場合（α≠０）の画面輝度特性を示す。表示形式は図１２と同じである。
図１３に示すように、黒レベルと白レベルのコントラスト差が縮小されている。また、このコントラスト差は、入力される映像信号が静止画系の映像信号の場合、縮小率αの上限値Ｅで規定されるコントラスト差まで縮小される。
【００５６】
（Ａ−４）効果
以上説明したように、静止画系の画像の表示時には、コントラスト差を縮小制御することにより、制御期間中の表示により蓄積される劣化量差をオリジナルの表示時よりも縮小することができる。
【００５７】
従って、コントラスト差の縮小制御を継続することにより、焼き付き現象が知覚されるまでの期間を遅らせることができる。すなわち、焼き付き現象の発生を抑制できる。
なお、焼き付き抑制装置１は小規模回路で実現できる。このため、焼き付き抑制装置１は、表示デバイス１１に実装されるＩＣ（integrated circuit）等の一部に格納することもできる。
【００５８】
例えば図７に示すデバイス構造の表示デバイス１１の場合、焼き付き抑制装置１は、タイミングジェネレータ３１の一部分に実装することができる。このように、既存の処理回路の一部に実装すれば、レイアウト変更や実装空間の変更を必要としない。従って、製造コストの面でも有利である。特に、画面サイズが大型化する場合でも、演算量やシステム規模が小型で済み、製造コストの面で有利である。
【００５９】
（Ｂ）形態例２
ここでは、焼き付き抑制装置１を基本構成としながらも、コントラスト差の縮小制御を映像信号のジャンル情報に応じて最適化する機能が焼き付き抑制装置に搭載される場合について説明する。なお、ジャンル情報は、メタデータの一つとしてテキスト形式で記述される他、伝送フォーマット等で規定した符号値としても記述される。
【００６０】
（Ｂ−１）焼き付き抑制装置の機能構成
図１４に、この種の焼き付き抑制装置５１の機能構成例を示す。なお、図１４には、図１との対応部分に同一符号を付して示す。
焼き付き抑制装置５１は、平均階調値算出部５３、階調差算出部５及びコントラスト制御部５５で構成される。
【００６１】
平均階調値算出部５３の基本的な処理動作は、形態例１で説明した平均階調値算出部３と同じである。ただし、映像信号に付属するジャンル情報に基づいて平均階調値Ｃj の算出期間を与えるフレーム数ｎを可変する機能を搭載する点で形態例１と異なる。
図１５に、平気階調値算出部５３の内部構成例を示す。図１５は、図２と対応する部分に同一符号を付して表している。
【００６２】
ここでの平気階調値算出部５３は、単位フレーム平均階調値算出部２１、平均階調値蓄積部２３、ｎフレーム平均階調値算出部２５及び算出期間設定部５７で構成される。すなわち、算出期間設定部５７以外は、形態例１の構成と同じである。
【００６３】
算出期間設定部５７は、ジャンル情報に基づいて平均階調値Ｃj の算出フレーム数ｎを設定する処理デバイスである。例えばジャンル情報が動画系の番組又はシーンを表す場合、算出フレーム数ｎを小さい値（例えばｎ＝２）に設定し、ジャンル情報が静止画系の番組又はシーンを表す場合、算出フレーム数ｎを大きい値（例えばｎ＝８）に設定する。
【００６４】
また例えば、ジャンル情報がドラマ、音楽、映画、スポーツ、ニュース、娯楽等の詳細な番組情報を表す場合、各番組情報に対応づけられている算出フレーム数ｎに設定する。基本的には、動きの多い番組ほど算出フレーム数ｎは小さい値に設定される。
【００６５】
この算出期間設定部５７の処理をフローチャート形式に表すと、図１６に示す処理手順になる。まず、ジャンル情報の取得処理が実行され（Ｓ３１）、続いて算出フレーム数の変更処理が実行される（Ｓ３２）。なお、この処理は、新規のジャンル情報が取得される度に実行される。
【００６６】
次に、コントラスト制御部５５の処理動作を説明する。コントラスト制御部５５も、基本的な処理動作は形態例１と同様である。
ただし、コントラスト制御部５５は、ジャンル情報に基づいて判定閾値Ｂを設定する機能が搭載される。
【００６７】
例えばジャンル情報が動画系の番組又はシーンを表す場合、判定閾値Ｂを小さい値（例えばＢ＝２０）に設定し、ジャンル情報が静止画系の番組又はシーンを表す場合、判定閾値Ｂを大きい値（例えばＢ＝５０）に設定する。勿論、ジャンル情報がドラマ、音楽、映画、スポーツ、ニュース、娯楽等の詳細な番組情報を表す場合、各番組情報に対応づけられている値に判定閾値Ｂを設定する。基本的には、動きの多い番組ほど判定閾値Ｂを小さい値に設定する。
【００６８】
このコントラスト制御部５５の処理をフローチャート形式に表すと、図１７に示す処理手順になる。まず、ジャンル情報の取得処理が実行され（Ｓ４１）、続いて判定閾値Ｂの変更処理が実行される（Ｓ４２）。なお、この処理も、新規のジャンル情報が取得される度に実行される。
【００６９】
（Ｂ−２）効果
この形態例のように、映像信号の付属情報であるジャンル情報に応じて算出フレーム数ｎや判定閾値Ｂを変更することにより、コントラスト差の縮小処理期間や縮小度合いを最適化することができる。結果として、視認性や画質の低下を最小化することが可能になる。
【００７０】
（Ｃ）形態例３
ここでは、コントラスト差の縮小処理を映像信号の階調変換を通じて実行する焼き付き抑制装置について説明する。
【００７１】
（Ｃ−１）焼き付き抑制装置の機能構成
図１８に、この種の焼き付き抑制装置６１の機能構成例を示す。なお、図１８には、図１との対応部分に同一符号を付して示す。
焼き付き抑制装置６１は、平均階調値算出部３、階調差算出部５及びコントラスト制御部６３で構成される。
【００７２】
ここでのコントラスト制御部６３は、階調差算出部５で算出される差分値と判定閾値Ｂとを比較してコントラスト差の縮小処理を実行するか否かを判定する処理と、判定結果に基づいて映像信号を階調変換する処理とを実行する。
【００７３】
前述したようにコントラスト差の縮小処理を映像信号の階調変換を通じて実行する点で形態例１と異なっている。
なお、この形態例の場合、表示デバイス１１の駆動条件（ディジタル／アナログ変換器の黒レベルと白レベルを規定する基準電圧値）は固定値のままである。
【００７４】
（Ｃ−２）焼き付き抑制処理
以下、焼き付き抑制動作を説明する。
図１９に、６フレーム毎に実行される判定処理動作を示す。
【００７５】
まず、焼き付き抑制装置６１は、平均階調値算出部３において６フレーム当たりの平均階調値Ｃj を算出する（Ｓ５１）。
次に、焼き付き抑制装置６１は、直前回の平均階調値Ｃj と最新回の平均階調値Ｃj+1 との差分が判定閾値Ｂと同じかそれより大きいか判定する（Ｓ５２）。
【００７６】
この判定処理で肯定結果が得られた場合、焼き付き抑制装置６１は、コントラスト差の縮小処理パラメータをオフに制御する（Ｓ５３）。一方、この判定処理で否定結果が得られた場合、焼き付き抑制装置６１は、コントラスト差の抑制処理パラメータをオンに制御する（Ｓ５４）。
【００７７】
この後、焼き付き抑制装置６１は、縮小処理パラメータに基づいてコントラスト差の縮小処理を実行する（Ｓ５５）。
図２０に、このコントラスト差の縮小処理動作の詳細例を示す。まず、焼き付き抑制装置６１は、コントラスト差の縮小処理パラメータを確認する（Ｓ６１）。
【００７８】
次に、焼き付き抑制装置６１は、縮小処理パラメータがオンであるか判定する（Ｓ６２）。
判定結果が否定結果である場合、焼き付き抑制装置６１は、縮小率αを０（ゼロ）に設定する（Ｓ６３）。
【００７９】
一方、判定結果が肯定結果である場合、焼き付き抑制装置６１は、前回も縮小処理パラメータはオン状態であったか否かを判定する（Ｓ６４）。
否定結果が得られた場合（すなわち、前回の判定時にはオフ状態であった場合）、焼き付き抑制装置６１は、縮小率αを０（ゼロ）に設定する（Ｓ６５）。
【００８０】
一方、肯定結果が得られた場合（すなわち、オン状態が継続している場合）、焼き付き抑制装置６１は、縮小率αを直前回の縮小率αに固定値ｄを加算した値に設定する（Ｓ６６）。すなわち、縮小率αを拡大する。なお、縮小率αの初期値は０（ゼロ）であるので、更新後の縮小率αは固定値ｄの倍数で与えられる。
【００８１】
この後、焼き付き抑制装置６１は、縮小率αが上限値Ｅ以下か否かを判定する（Ｓ６７）。
ここで、否定結果が得られた場合、焼き付き抑制装置６１は、縮小率αを上限値Ｅに再設定する（Ｓ６８）。
【００８２】
縮小率αが確定すると、焼き付き抑制装置６１は、縮小率αに応じて映像信号を階調変換する（Ｓ６９）。具体的には図２１に示すように、縮小処理の非実行時（α＝０）の場合には、入力時の階調値がそのまま出力され、縮小処理の実行時（α≠０）の場合には、縮小率αに応じて確定する変換特性に基づいて階調変換処理を実行する。
【００８３】
ここでの階調処理は、演算処理により用いても良いし、事前に用意した縮小率別の変換テーブルを用いて実行しても良い。この形態例の場合には、変換テーブルを採用する。
この後、焼き付き抑制装置６１は、階調変換後の映像信号を表示デバイス１１に出力する（Ｓ７０）。
【００８４】
（Ｃ−３）効果
以上説明したように、映像信号を階調変換する場合にも、形態例１と同様の効果を実現できる。すなわち、静止画系の画像の表示時には、コントラスト差を縮小制御することにより、制御期間中の表示により蓄積される劣化量差をオリジナルの表示時よりも縮小して焼き付き現象の進行を抑制することができる。
【００８５】
（Ｄ）実装例
ここでは、前述した焼き付き抑制装置の電子機器への実装例を説明する。
【００８６】
（ａ）自発光表示装置への実装
前述した焼き付き抑制装置は、図２２に示すように、自発光表示装置７１内に実装することができる。図２２に示す自発光表示装置７１は、表示デバイス７３と焼き付き抑制装置７５を搭載する。
【００８７】
（ｂ）画像処理装置
前述した焼き付き抑制装置は、図２３に示すように、自発光表示装置８１に映像信号を供給する外部装置としての画像処理装置９１に実装することもできる。
図２３に示す画像処理装置９１は、画像処理部９３と焼き付き抑制装置９５で構成される。なお、画像処理部９３の処理内容は、搭載されるアプリケーションに依存する。
【００８８】
（ｃ）その他の実装例
焼き付き抑制装置は、前述した装置以外にも各種の電子機器に搭載することができる。なお、ここでの電子機器は、可搬型であるか据え置き型かを問わない。また、表示デバイスは必ずしも電子機器に搭載しなくても良い。
【００８９】
（ｃ１）放送波受信装置
焼き付き抑制装置は、放送波受信装置に搭載することができる。
図２４に、放送波受信装置の機能構成例を示す。放送波受信装置１０１は、表示デバイス１０３、システム制御部１０５、操作部１０７、記憶媒体１０９、電源１１１及びチューナー１１３を主要な構成デバイスとする。
【００９０】
なお、システム制御部１０５は、例えばマイクロプロセッサで構成される。システム制御部１０５は、システム全体の動作を制御する。操作部１０７は、機械式の操作子の他、グラフィックユーザーインターフェースも含む。
【００９１】
記憶媒体１０９は、表示デバイス１０３に表示する画像や映像に対応するデータの他、ファームウェアやアプリケーションプログラムの格納領域として用いられる。電源１１１は、放送波受信装置１０１が可搬型の場合にはバッテリー電源を使用する。勿論、放送波受信装置１０１が据え置き型の場合には商用電源を使用する。
【００９２】
チューナー１１３は、到来する放送波の中からユーザーの選局した特定チャネルの放送波を選択的に受信する装置である。
この放送波受信装置の構成は、例えばテレビジョン番組受信機、ラジオ番組受信機、放送波受信機能を搭載する携帯型の電子機器に適用する場合に用いることができる。
【００９３】
（ｃ２）オーディオ装置
図２５は、再生機としてのオーディオ装置に適用する場合の機能構成例である。
再生機としてのオーディオ装置１２１は、表示デバイス１２３、システム制御部１２５、操作部１２７、記憶媒体１２９、電源１３１、オーディオ処理部１３３及びスピーカー１３５を主要な構成デバイスとする。
【００９４】
この場合も、システム制御部１２５は、例えばマイクロプロセッサで構成される。システム制御部１２５は、システム全体の動作を制御する。操作部１２７は、機械式の操作子の他、グラフィックユーザーインターフェースも含む。表示デバイス１２３には、操作情報や楽曲情報等が表示される。
【００９５】
記憶媒体１２９は、オーディオデータの他、ファームウェアやアプリケーションプログラムの格納領域である。また、楽曲データの記憶にも用いられる。記憶媒体１２９は、半導体記憶媒体の他、ハードディスク装置等が用いられる。
【００９６】
電源１３１は、オーディオ装置１２１が可搬型の場合にはバッテリー電源を使用する。勿論、オーディオ装置１２１が据え置き型の場合には商用電源を使用する。
オーディオ処理部１３３は、オーディオデータを信号処理する処理デバイスである。圧縮符号化されたオーディオデータの解凍処理も実行される。スピーカー１３５は、再生された音を出力するデバイスである。
【００９７】
なお、オーディオ装置１２１を記録機として用いる場合、スピーカー１３５に替えてマイクロフォンを接続する。この場合、オーディオ処理部１３３は、オーディオデータを圧縮符号化する機能を実現する。
このオーディオ装置の構成は、例えば携帯型の音楽機器、携帯電話機等に適用する場合に用いることができる。
【００９８】
（ｃ３）通信装置
図２６は、通信装置に適用する場合の機能構成例である。通信装置１４１は、表示デバイス１４３、システム制御部１４５、操作部１４７、記憶媒体１４９、電源１５１及び通信部１５３を主要な構成デバイスとする。
【００９９】
なお、システム制御部１４５は、例えばマイクロプロセッサで構成される。システム制御部１４５は、システム全体の動作を制御する。操作部１４７は、機械式の操作子の他、グラフィックユーザーインターフェースも含む。
【０１００】
記憶媒体１４９は、表示デバイス１４３に表示する画像や映像に対応するデータファイルの他、ファームウェアやアプリケーションプログラムの格納領域として用いられる。電源１５１は、通信装置１４１が可搬型の場合にはバッテリー電源を使用する。勿論、通信装置１４１が据え置き型の場合には商用電源を使用する。
【０１０１】
通信部１５３は、他機との間でデータを送受信する無線又は有線型の通信モジュールで構成される。この通信装置の構成は、例えば据え置き型の電話機、携帯電話機、通信機能を搭載する携帯型の電子機器に適用する場合に用いることができる。
【０１０２】
（ｃ４）撮像装置
図２７は、撮像装置に適用する場合の機能構成例である。撮像装置１６１は、表示デバイス１６３、システム制御部１６５、操作部１６７、記憶媒体１６９、電源１７１及び撮像部１７３を主要な構成デバイスとする。
【０１０３】
なお、システム制御部１６５は、例えばマイクロプロセッサで構成される。システム制御部１６５は、システム全体の動作を制御する。操作部１６７は、機械式の操作子の他、グラフィックユーザーインターフェースも含む。
【０１０４】
記憶媒体１６９は、表示デバイス１６３に表示する画像や映像に対応するデータファイルの他、ファームウェアやアプリケーションプログラムの格納領域として用いられる。電源１７１は、撮像装置１６１が可搬型の場合にはバッテリー電源を使用する。勿論、撮像装置１６１が据え置き型の場合には商用電源を使用する。
【０１０５】
撮像部１７３は、例えばＣＭＯＳセンサーとその出力信号を処理する信号処理部で構成する。この撮像装置の構成は、例えばデジタルカメラ、ビデオカメラ、撮像機能を搭載する携帯型の電子機器等に適用する場合に用いることができる。
【０１０６】
（ｃ５）情報処理装置
図２８は、携帯型の情報処理装置に適用する場合の機能構成例である。情報処理装置１８１は、表示デバイス１８３、システム制御部１８５、操作部１８７、記憶媒体１８９及び電源１９１を主要な構成デバイスとする。
【０１０７】
なお、システム制御部１８５は、例えばマイクロプロセッサで構成される。システム制御部１８５は、システム全体の動作を制御する。操作部１８７は、機械式の操作子の他、グラフィックユーザーインターフェースも含む。
【０１０８】
記憶媒体１８９は、表示デバイス１８３に表示する画像や映像に対応するデータファイルの他、ファームウェアやアプリケーションプログラムの格納領域として用いられる。電源１９１は、情報処理装置１８１が可搬型の場合にはバッテリー電源を使用する。勿論、情報処理装置１８１が据え置き型の場合には商用電源を使用する。
【０１０９】
この情報処理装置の構成は、例えばゲーム機、電子ブック、電子辞書、コンピュータ、測定装置等に適用する場合に用いることができる。なお、測定装置に使用する場合には、センサー（検出デバイス）の検出信号がシステム制御部１８５に入力される。
【０１１０】
（Ｅ）その他の形態例
（ａ）前述した形態例１及び２の場合、縮小率αに応じて設定された基準電圧値Ｄb ，Ｄw を表示デバイス１１に出力する場合について説明した。
しかし、コントラスト制御部７は表示デバイス１１に縮小率αだけを出力し、表示デバイス１１側で縮小率αに応じた基準電圧Ｖb ，Ｖw を発生させても良い。
【０１１１】
（ｂ）前述した形態例では、平均階調値算出部３で使用する算出フレーム数ｎを“６”に設定する場合について説明した。
しかし、算出フレーム数ｎは、１フレーム以上６０フレーム以下であれば良い。勿論、具体的な算出フレーム数ｎは、映像信号や判定閾値Ｂとの組み合わせに応じて設定することが望ましい。
【０１１２】
（ｃ）前述した形態例では、コントラスト制御部７及び５５で使用する判定閾値Ｂを“３５”に設定する場合について説明した。
しかし、判定閾値Ｂはその他の値を用いても良い。例えば１０以上１００（映像信号が８ビットの場合）以下であれば良い。勿論、具体的な判定閾値Ｂは、映像信号や算出フレーム数ｎとの組み合わせに応じて設定することが望ましい。
【０１１３】
（ｄ）前述した形態例２では、ジャンル情報に基づいて算出フレーム数ｎと判定閾値Ｂの両方を変更する場合について説明した。
しかし、ジャンル情報に応じて変更するのは、算出フレーム数ｎと判定閾値Ｂのいずれか一方だけでも良い。
【０１１４】
（ｅ）前述した形態例１及び２においては、ディジタル／アナログ変換器の黒レベルと白レベルを規定する基準電圧値をそれぞれ可変制御する場合について説明し、形態例３においては、ガンマ変換特性を可変して入力階調値に対応付ける出力階調値の階調幅を圧縮する場合について説明した。
【０１１５】
しかし、いずれの場合も、黒レベルだけ又は白レベルだけを可変制御しても良い。
図２９に、黒レベルだけを可変制御する場合の制御例を示す。なお、図３０に、この場合に対応する画面輝度特性を示す。
また、図３１に、白レベルだけを可変制御する場合の制御例を示す。同様に、図３２に、この場合に対応する画面輝度特性を示す。
【０１１６】
ところで、白レベルだけを可変制御する場合には、表示デバイス１１のフレーム内発光期間を規定するデューティパルス信号のＬレベル長を制御することによっても、前述した形態例と同じ効果を実現することができる。
【０１１７】
図３３に、デューティパルス信号の可変制御例を示す。図３３（Ａ）は最大点灯時間長の最大期間を与える垂直同期パルスである。図３３（Ｂ）はデューティパルス信号例である。図３３（Ｂ）に示すように、縮小率αに応じてＬレベル長を可変する。縮小率αが大きいほど、Ｌレベル長が短く制御される。なお、縮小率αが０（ゼロ）の場合には、Ｌレベル長は設定値に制御される。
【０１１８】
（ｆ）前述した形態例では、縮小率αの２分の１ずつを黒レベル側の可変制御と白レベル側の可変制御に割り振る場合について説明した。
しかし、可変制御量の割り振りは、非対称でも良い。例えば黒レベル側を多く可変しても良いし、反対に白レベル側を多く可変制御しても良い。
【０１１９】
（ｇ）前述した形態例の場合には、制御状態の継続に応じて縮小率αを徐々に増加する場合について説明した。
しかし、縮小率αは制御状態の継続によらず固定値としても良い。
【０１２０】
（ｈ）前述した形態例では、デューティパルス信号が１フレームに１回出力される場合（図８）について説明した。
しかし、図３４に示すように、デューティパルス信号が１水平期間に１回出力される場合にも適用できる。
【０１２１】
（ｉ）前述した形態例においては、表示デバイスが有機ＥＬディスプレイである場合について説明した。
しかし、表示デバイスは、その他の自発光型表示デバイスでも良い。
例えば無機ＥＬディスプレイ装置、ＦＥＤディスプレイ装置、ＰＤＰディスプレイ装置でも良い。
【０１２２】
（ｊ）前述の形態例で説明した焼き付き抑制装置は、処理機能の全てをハードウェア又はソフトウェアで実現するだけでなく、ハードウェアとソフトウェアの機能分担により実現することもできる。
【０１２３】
（ｋ）前述した形態例には、発明の趣旨の範囲内で様々な変形例が考えられる。また、本明細書の記載に基づいて創作される又は組み合わせられる各種の変形例及び応用例も考えられる。
【図面の簡単な説明】
【０１２４】
【図１】焼き付き抑制装置の機能構成例を示す図である。
【図２】平均階調値算出部の内部構成例を示す図である。
【図３】平均階調値Ｃj の算出原理を示す図である。
【図４】コントラスト差を縮小しない場合の入出力関係を示す図である。
【図５】コントラスト差を縮小する場合の入出力関係を示す図である。
【図６】縮小率αの増加に伴うコントラスト差の縮小制御を示す図である。
【図７】表示デバイスの機能構成例を示す図である。
【図８】デューティパルス信号を説明する図である。
【図９】画素回路と周辺回路との接続関係を説明する図である。
【図１０】縮小処理動作の実行手順を示す図である。
【図１１】縮小処理動作の実行手順を示す図である。
【図１２】縮小処理を実行しない場合の画面輝度特性を示す図である。
【図１３】縮小処理を実行する場合の画面輝度特性を示す図である。
【図１４】焼き付き抑制装置の機能構成例を示す図である。
【図１５】平均階調値算出部の内部構成例を示す図である。
【図１６】算出フレーム数の変更手順を示す図である。
【図１７】判定閾値の変更手順を示す図である。
【図１８】焼き付き抑制装置の機能構成例を示す図である。
【図１９】縮小処理動作の実行手順を示す図である。
【図２０】縮小処理動作の実行手順を示す図である。
【図２１】階調変換特性の変化を説明する図である。
【図２２】焼き付き抑制装置の自発光表示装置への実装例を説明する図である。
【図２３】焼き付き抑制装置の画像処理装置への実装例を説明する図である。
【図２４】焼き付き抑制装置の電子機器への搭載例を説明する図である。
【図２５】焼き付き抑制装置の電子機器への搭載例を説明する図である。
【図２６】焼き付き抑制装置の電子機器への搭載例を説明する図である。
【図２７】焼き付き抑制装置の電子機器への搭載例を説明する図である。
【図２８】焼き付き抑制装置の電子機器への搭載例を説明する図である。
【図２９】黒レベルだけを可変制御する場合の制御を説明する図である。
【図３０】黒レベルだけを可変制御する場合の画面輝度特性を説明する図である。
【図３１】白レベルだけを可変制御する場合の制御を説明する図である。
【図３２】白レベルだけを可変制御する場合の画面輝度特性を説明する図である。
【図３３】デューティパルス信号の可変制御例を示す図である。
【図３４】デューティパルス信号の他の構成例を説明する図である。
【符号の説明】
【０１２５】
１        焼き付き抑制装置
３        平均階調値算出部
５        階調差算出部
７        コントラスト制御部
１１      表示デバイス
２１      単位フレーム平均階調値算出部
２３      平均階調値蓄積部
２５      ｎフレーム平均階調値算出部
５１      焼き付き抑制装置
５３      平均階調値算出部
５５      コントラスト制御部
５７      算出期間設定部
６１      焼き付き抑制装置
６３      コントラスト制御部
【図１】
2008070683.tif 000003
【図２】
2008070683.tif 000004
【図３】
2008070683.tif 000005
【図４】
2008070683.tif 000006
【図５】
2008070683.tif 000007
【図６】
2008070683.tif 000008
【図７】
2008070683.tif 000009
【図８】
2008070683.tif 000010
【図９】
2008070683.tif 000011
【図１０】
2008070683.tif 000012
【図１１】
2008070683.tif 000013
【図１２】
2008070683.tif 000014
【図１３】
2008070683.tif 000015
【図１４】
2008070683.tif 000016
【図１５】
2008070683.tif 000017
【図１６】
2008070683.tif 000018
【図１７】
2008070683.tif 000019
【図１８】
2008070683.tif 000020
【図１９】
2008070683.tif 000021
【図２０】
2008070683.tif 000022
【図２１】
2008070683.tif 000023
【図２２】
2008070683.tif 000024
【図２３】
2008070683.tif 000025
【図２４】
2008070683.tif 000026
【図２５】
2008070683.tif 000027
【図２６】
2008070683.tif 000028
【図２７】
2008070683.tif 000029
【図２８】
2008070683.tif 000030
【図２９】
2008070683.tif 000031
【図３０】
2008070683.tif 000032
【図３１】
2008070683.tif 000033
【図３２】
2008070683.tif 000034
【図３３】
2008070683.tif 000035
【図３４】
2008070683.tif 000036